(57)【要約】【課題】簡単な操作で、関連性が明確に伝わるコンテンツを公開することができるようにする。【解決手段】データを蓄積するとともに、指定したデータを公開することが可能なデータ管理装置であって、複数の第１のデータの関連付けを設定する関連付け設定手段と、前記関連付け設定手段によって設定された関連付けに基づき前記第１のデータの類似性を判定する類似性判定手段と、前記類似性判定手段によって判定された類似性に基づき複数の第２のデータを検索する検索手段と、前記複数の第１のデータの中の少なくとも１つのデータの公開を行う際に、前記第１のデータ全てを公開するとともに、関連付け設定内容及び関連付け設定に対応付けて前記検索結果の公開も行う公開手段とを有することを特徴とするデータ管理装置等、を提供する。【選択図】図３
2007264763.tif 000002
【特許請求の範囲】
【請求項１】
データを蓄積するとともに、指定したデータを公開することが可能なデータ管理装置であって、
複数の第１のデータの関連付けを設定する関連付け設定手段と、
前記関連付け設定手段によって設定された関連付けに基づき前記第１のデータの類似性を判定する類似性判定手段と、
前記類似性判定手段によって判定された類似性に基づき複数の第２のデータを検索する検索手段と、
前記複数の第１のデータの中の少なくとも１つのデータの公開を行う際に、前記第１のデータ全てを公開するとともに、関連付け設定内容及び関連付け設定に対応付けて前記検索結果の公開も行う公開手段とを有することを特徴とするデータ管理装置。
【請求項２】
前記類似性判定手段は、前記第１のデータに付加された情報から共通する情報を抽出することにより類似性を判定することを特徴とする請求項１に記載のデータ管理装置。
【請求項３】
前記類似性判定手段は、前記第１のデータに付加された情報から共通する分類を判定することにより類似性を判定することを特徴とする請求項１に記載のデータ管理装置。
【請求項４】
サーバ装置とクライアント装置とからなり、前記サーバ装置はデータを蓄積することが可能であり、前記クライアント装置は指定されたデータを表示することが可能なデータ管理システムであって、
前記クライアント装置は、複数の第１のデータの関連付けを設定する関連付け設定手段を有し、
前記サーバ装置は、前記関連付け設定手段によって設定された関連付けに基づき前記第１のデータの類似性を判定する類似性判定手段と、前記類似性判定手段によって判定された類似性に基づき複数の第２のデータを検索する検索手段とを有し、
前記クライアント装置はさらに、前記複数の第１のデータの中の少なくとも１つのデータの表示を行う際に、前記第１のデータ全てを表示するとともに、関連付け設定内容及び関連付け設定に対応付けて前記検索結果の表示も行う表示手段とを有することを特徴とするデータ管理システム。
【請求項５】
前記類似性判定手段は、前記第１のデータに付加された情報から共通する情報を抽出することにより類似性を判定することを特徴とする請求項４に記載のデータ管理システム。
【請求項６】
前記類似性判定手段は、前記第１のデータに付加された情報から共通する分類を判定することにより類似性を判定することを特徴とする請求項４に記載のデータ管理システム。
【請求項７】
データを蓄積するとともに、指定したデータを公開することが可能なデータ管理装置のデータ管理方法であって、
複数の第１のデータの関連付けを設定する関連付け設定工程と、
前記関連付け設定工程において設定された関連付けに基づき第１のデータの類似性を判定する類似性判定工程と、
前記類似性判定工程において判定された類似性に基づき複数の第２のデータを検索する検索工程と、
前記複数の第１のデータの中の少なくとも１つのデータの公開を行う際に、前記第１のデータ全てを公開するとともに、関連付け設定内容及び関連付け設定に対応付けて前記検索結果の公開も行う公開工程とを有することを特徴とするデータ管理方法。
【請求項８】
前記類似性判定工程は、前記第１のデータに付加された情報から共通する情報を抽出することにより類似性を判定することを特徴とする請求項７に記載のデータ管理方法。
【請求項９】
前記類似性判定工程は、前記第１のデータに付加された情報から共通する分類を判定することにより類似性を判定することを特徴とする請求項７に記載のデータ管理方法。
【請求項１０】
データを蓄積するとともに、指定したデータを公開することが可能なデータ管理装置のデータ管理方法をコンピュータに実行させるプログラムであって、
複数の第１のデータの関連付けを設定する関連付け設定工程と、
前記関連付け設定工程において設定された関連付けに基づき前記第１のデータの類似性を判定する類似性判定工程と、
前記類似性判定工程において判定された類似性に基づき複数の第２のデータを検索する検索工程と、
前記複数の第１のデータの中の少なくとも１つのデータの公開を行う際に、前記第１のデータ全てを公開するとともに、関連付け設定内容及び関連付け設定に対応付けて前記検索結果の公開も行う公開工程とを有するデータ管理方法をコンピュータに実行させることを特徴とするプログラム。
【請求項１１】
前記類似性判定工程は、前記第１のデータに付加された情報から共通する情報を抽出することにより類似性を判定することを特徴とする請求項１０に記載のプログラム。
【請求項１２】
前記類似性判定工程は、前記第１のデータに付加された情報から共通する分類を判定することにより類似性を判定することを特徴とする請求項１０に記載のプログラム。
【発明の詳細な説明】
【技術分野】
【０００１】
本発明はデータ管理装置、データ管理方法、データ管理システム及びプログラムに関し、複数のユーザが、蓄積されたデータを閲覧することが可能にする技術に関する。
【背景技術】
【０００２】
近年、パーソナルコンピュータ、デジタルスチルカメラ、デジタルビデオカメラ、携帯型ディジタルオーディオプレイヤー等の普及に伴い、文書、静止画、動画、音楽等の数多くのコンテンツがデジタル化されている。その結果、ハードディスクドライブをはじめとする大容量記憶媒体に蓄積され利用されるようになってきた。
【０００３】
これらデジタルコンテンツの中でも個人が撮影した写真やビデオは、家族や友人へ電子メールに添付し送付、ホームページへの掲載というように、インターネットを利用して即時に交換され、人と人とのコミュニケーションをより豊かなものへと変えつつある。このようなコミュニケーションにおいて、小容量データに対しては電子メールが用いられ、大容量のデータになるとホームページが用いられることが多い。これは、電子メールシステムが送受信なデータサイズに制限が設けられている場合があるからである。
【０００４】
コンテンツを公開可能なホームページを作成するためには、ある程度の知識や手間が必要となるため、コンテンツをインターネット上で手軽に公開可能な様々なサービスが提供されている（例えば、非特許文献１参照）。このようなサービスを利用することにより、ユーザは家族や友人に写真やビデオを公開し、ホームページ上への書込みや電子メールによりその内容について語り合い、またそれらに関連して新たな写真やビデオを紹介し合う。これにより話題を広げ、コミュニケーションが展開される。
【０００５】
ところで、公開されているコンテンツに関連して新たなコンテンツの公開を思いついた際に、その関連に付随して公開したい別のコンテンツが更に存在することがある。例えば、友人の海外旅行の写真に関連して自分のある海外旅行の写真を公開する際に、別の海外旅行や国内旅行の写真等を、最初の関連付けに付随して公開することで、新たな話題展開が可能となる。そこで従来技術では、コンテンツを分類するためのキーワードを追加することにより、関連に付随して公開したい別のコンテンツをキーワードを使って検索することが可能である（例えば、非特許文献２参照）。
【０００６】
【非特許文献１】「CANON iMAGE GATEWAY（登録商標）」、キヤノン販売株式会社、http://www.imagegateway.net/demo/photoalbum.html
【非特許文献２】「ZoomBrowser EX（登録商標） オンラインヘルプ Version 5.1」、キヤノン株式会社
【発明の開示】
【発明が解決しようとする課題】
【０００７】
上述した従来技術により、関連するコンテンツを公開する際に、関連に付随したキーワードで他のコンテンツを検索し、その検索結果となるコンテンツを選択し、公開することができる。ところが、操作が煩雑であり、また、元となった関連による公開と付随する公開との関連性が示されないために、手動でコメントを付加する等の手間が必要であった。
【０００８】
本発明は前述の問題点に鑑み、簡単な操作で、関連性が明確に伝わるコンテンツを公開することができるようにすることを目的としている。
【課題を解決するための手段】
【０００９】
上記目的を達成するために本発明は、データを蓄積するとともに、指定したデータを公開することが可能なデータ管理装置であって、複数の第１のデータの関連付けを設定する関連付け設定手段と、前記関連付け設定手段によって設定された関連付けに基づき前記第１のデータの類似性を判定する類似性判定手段と、前記類似性判定手段によって判定された類似性に基づき複数の第２のデータを検索する検索手段と、前記複数の第１のデータの中の少なくとも１つのデータの公開を行う際に、前記第１のデータ全てを公開するとともに、関連付け設定内容及び関連付け設定に対応付けて前記検索結果の公開も行う公開手段とを有することを特徴とするデータ管理装置等、を提供する。
【発明の効果】
【００１０】
本発明によれば、簡単な操作で、関連性が明確に伝わるコンテンツ公開が可能となる。
【発明を実施するための最良の形態】
【００１１】
（第１の実施形態）
以下、本発明の第１の実施形態を図１〜図９を用いて説明する。
図１は、本実施形態に係るデータ管理システムの構成を示すブロック図である。
図１に示すように、本実施形態におけるデータ管理システムはデータ管理装置１００とパーソナルコンピュータ（以下ＰＣと記載する）１２０−１〜１２０−Ｎとから構成されている。
【００１２】
データ管理装置１００とＰＣ１２０−１〜１２０−Ｎは、インターネット等のネットワーク１１０で接続され、データ管理装置１００にはディスプレイ１３０とキーボード・マウス等の入力デバイス１４０とが接続されている。
【００１３】
データ管理装置１００は、演算処理を行うＣＰＵ１０１、処理に伴うデータを一時記憶するＲＡＭ１０２、制御プログラム、コンテンツ等の大容量データを記憶するＨＤＤ１０３、画面データをディスプレイ１３０に表示可能な信号に変換するディスプレイインタフェース１０４を備える。更に、キーボード及びマウスからの入力信号を受信する入力インタフェース１０５、通信パケットデータを通信信号に変換するネットワークインタフェース１０６を備える。
【００１４】
ＨＤＤ１０３に記憶されたデータ管理システムの制御プログラムは、ＲＡＭ１０２に読み出され、ＣＰＵ１０１で演算処理され、画面データが形成されて、ディスプレイ１３０又は通信パケットデータに変換されてＰＣ１２０−１〜１２０−Ｎに表示される。キーボード・マウス１４０又はＰＣ１２０−１〜１２０−Ｎによりコンテンツの一覧表示が指示されると、入力インタフェース１０５又はネットワークインタフェース１０６を介してＣＰＵ１０１に入力データが伝えられる。そして、ＲＡＭ１０２上で動作している制御プログラムはＨＤＤ１０３からコンテンツ情報を読み出して前述の経路で表示を行う。
【００１５】
ここで、ＰＣ１２０−１〜１２０−Ｎでは汎用のＷｅｂブラウザが動作していることを想定しているが、専用のクライアントアプリケーションが動作していてもよい。また、ＰＣ１２０−１〜１２０−Ｎは、携帯情報端末、携帯電話、セットトップボックス等であってもよい。更に、ディスプレイ１３０、キーボード・マウス１４０が無くネットワーク１１０を介した入出力のみであっても、逆にネットワークに接続されずディスプレイ１３０、キーボード・マウス１４０等の入出力機器のみであってもよい。
【００１６】
図２は、本実施形態に係るデータ管理システムの関連付け設定画面の一例を示す図である。
図２に示すように、画面２００は、公開データ領域２０３、未公開データ領域２０４、類似公開データ領域２０２−１、２０２−２、関連付けデータ公開ボタン２０１、決定ボタン２０５、キャンセルボタン２０６とから構成される。ここで類似公開データとは関連付けデータ公開に基づき付随的に公開されるデータを呼び、以下同様とする。
【００１７】
この例では、データ−１〜データ−３が公開データ、データ−４が未公開データ、データ−５〜データ−８は類似公開データであり、データ−３はデータ−２に関連付けられている。またデータ−５はデータ−２とデータ−３の関連に付随して公開されており、データ−４をデータ−１に関連付けて、またデータ−６〜データ−７がそれに付随されて公開しようとしている様子を示している。
【００１８】
具体的な操作の例としては、関連付けデータ公開ボタン２０１をクリックした後に、データ−４、データ−１をクリックするとそれらが矢印で結ばれ、類似公開データ２０２−１の表示が更新される等が考えられる。
【００１９】
Ｗｅｂブラウザを用いない場合はデータ−４からデータ−１にマウスでドラッグするとより直感的な操作となる。公開を決定する場合は、決定ボタン２０５をクリックし、キャンセルする場合はキャンセルボタン２０６をクリックする。類似公開データが多い場合は、関連の矢印をクリックすると類似公開データ領域が表示される等も考えられる。
【００２０】
図３は、本実施形態に係るデータ管理システムの機能構成を示すブロック図である。
図３に示すように、データ管理装置１００の機能は、メタデータデータベース（以下ＤＢと記載する）３００、データ管理ＤＢ３１０、蓄積データＤＢ３２０、ユーザインタフェース部３０１、関連付けデータ公開設定部３０２、データ公開制御部３０３、類似公開データ判定部３０４とから構成される。
【００２１】
メタデータＤＢ３００は後述するメタデータ５００を蓄積し管理するためのデータベースである。同様にデータ管理ＤＢ３１０は後述するデータ管理情報４００と関連付けデータ公開情報６００を、蓄積データＤＢ３２０はコンテンツを蓄積し管理するデータベースである。
【００２２】
ユーザインタフェース部３０１はディスプレイ１３０やＰＣ１２０−１〜１２０−Ｎ等の表示装置合わせてユーザインタフェース画面を作成、出力し、キーボード・マウス１４０、ＰＣ１２０−１〜１２０−Ｎ等の入力装置からの入力信号を受信し、適切な機能へ入力データを通知する。
【００２３】
関連付けデータ公開設定部３０２は、ユーザインタフェース部３０１で作成された関連付けデータ公開設定画面に基づく関連元データ、関連先データ情報を受けて類似公開データ判定部３０４による類似公開データの判定を行う。そして、データ管理ＤＢ３１０のデータ管理情報４００の更新と関連付けデータ公開情報６００の登録を行う。
【００２４】
データ公開制御部３０３は、ユーザインタフェース部３０１を介したデータ公開指示を受けて、データ管理ＤＢ３１０からデータ管理情報４００を検索し、蓄積データＤＢ３２０から公開するデータを読み出す。そして、ユーザインタフェース部３０１を介してデータ公開画面の作成、表示を行う。
【００２５】
類似公開データ判定部３０４は、メタデータＤＢ３００からメタデータ５００、データ管理ＤＢ３１０からデータ管理情報５００を検索し、関連付けに基づく類似公開データの判定を行う。
【００２６】
図４は、本実施形態に係るデータ管理システムのデータ管理情報の構成を示す図である。
図４に示すように、データ管理情報４００はデータＩＤ、データの公開可否を示す公開可否フラグ、蓄積データＤＢで管理されたデータの蓄積場所を示すデータ蓄積場所から構成される。ここで、データＩＤはデータに一意に割り付けられるＩＤであり、以下でも同様である。
【００２７】
図５は、本実施形態に係るデータ管理システムのメタデータの構成を示す図である。
図５に示すように、メタデータ５００はメタデータＩＤ、メタデータの対象となるデータのデータＩＤ、メタデータの内容である情報から構成されている。ここで、メタデータＩＤは、メタデータに一意に割り付けられるＩＤであり、情報は情報名と値から構成された文字列であり、以下でも同様である。
【００２８】
図６は、本実施形態に係るデータ管理システムの関連付けデータ公開情報の構成を示す図である。
図６に示すように、関連付けデータ公開情報６００は関連付けデータ公開ＩＤ、関連元となるデータのデータＩＤである関連元データＩＤ、関連先となるデータのデータＩＤである関連先データＩＤ、関連元データと関連先データの類似性、類似性に基づき公開されるデータのデータＩＤである類似公開データＩＤから構成されている。
【００２９】
ここで、関連付けデータ公開ＩＤは関連付けデータ公開情報に一意に割り付けられるＩＤであり、類似性は関連元データと関連先データに共通な１つ以上のメタデータ５００における情報であり、以下でも同様である。
【００３０】
図７は、本実施形態に係るデータ管理システムの起動処理の一例を示すフローチャートである。
図７に示すように、起動処理７００では、開始操作又は接続を検出したか否かを判断する（ステップＳ７０１）。この判断の結果、検出していない場合はステップＳ７０１に戻り、検出するまで待つ。一方、ステップＳ７０１の判断の結果、検出されると（ステップＳ７０１、Ｙｅｓ）、後述する図９に示すデータ公開処理を行う（ステップＳ７０２）。
【００３１】
次に、関連付けデータ公開ボタン２０１のクリック等の関連付けデータ公開操作が有ったか判断する（ステップＳ７０３）。この判断の結果、無い場合は画面２００には図示しない終了操作や切断が有ったか判断する（ステップＳ７０４）。この判断の結果、無い場合は、電源ボタン押下等による停止操作が有ったか判断する（ステップＳ７０５）。この判断の結果、無い場合はステップＳ７０３からの処理を繰り返す。
【００３２】
一方、ステップＳ７０３の判断の結果、関連付けデータ公開操作が実行されると（ステップＳ７０３、Ｙｅｓ）、後述する図８に示す関連付けデータ公開設定処理を行い（ステップＳ７２１）、ステップＳ７０２からの処理を繰り返す。また、ステップＳ７０４の判断の結果、終了操作や切断が行われた場合（ステップＳ７０４、Ｙｅｓ）、ステップＳ７０１からの処理を繰り返す。
【００３３】
さらに、ステップＳ７０５の判断の結果、停止操作が行われた場合は（ステップＳ７０５、Ｙｅｓ）、処理を終了する。ここで、これらの処理は主にユーザインタフェース部３０１により実行される。
【００３４】
図８は、本実施形態に係るデータ管理システムの関連付けデータ公開設定処理の一例を示すフローチャートである。
図８に示すように、関連付けデータ公開設定処理８００では、まず、操作入力より関連元データＩＤ、関連先データＩＤ、設定ユーザＩＤを読出す（ステップＳ８０１）。次に、メタデータＤＢ３００より、関連元データと関連先データのメタデータ５００を読出し（ステップＳ８０２）、両メタデータの類似性（共通のメタデータ情報）を判定する（ステップＳ８０３）。
【００３５】
続いてデータ管理ＤＢ３１０と蓄積データＤＢ３２０より、類似性に基づくデータのデータ蓄積場所より類似公開データを読出す（ステップＳ８０４）。そして、データ公開処理９００で読み出した公開データ、関連付けデータ公開情報６００、公開類似データに基づき画面を作成、表示する（ステップＳ８０５）。
【００３６】
次に、決定ボタン２０５がクリックされたか否かを判断する（ステップＳ８０６）。この判断の結果、クリックされた場合は、データ管理ＤＢ３１０に関連付けデータ公開情報６００を記憶し（ステップＳ８０７）、データ管理ＤＢ３１０における公開元データの公開設定を行い（ステップＳ８０８）、処理を終了する。一方、ステップＳ８０６の判断の結果、キャンセルボタン２０６がクリックされると（ステップＳ８０６、Ｎｏ）、そのまま処理を終了する。ここで、これらの処理は主に関連付けデータ公開設定部３０２と類似公開データ判定部３０４により実行される。
【００３７】
図９は、本実施形態に係るデータ管理システムのデータ公開処理の一例を示すフローチャートである。
図９に示すように、データ公開処理９００では、まず、開始操作或いは接続時に予め指定された管理者モードであるか否かを判定する（ステップＳ９０１）。この判定の結果、管理者モードの場合は（ステップＳ９０１、Ｙｅｓ）、データ管理ＤＢ３１０と蓄積データＤＢ３２０より、公開否に設定されたデータの蓄積場所から未公開データを読出す（ステップＳ９０２）。
【００３８】
同様に公開可に設定されたデータの蓄積場所から公開データを読出し（ステップＳ９０３）、データ管理ＤＢ３１０より関連付けデータ公開情報６００を読出す（ステップＳ９０４）。そして、データ管理ＤＢ３１０、蓄積データＤＢ３２０から関連付けデータ公開情報６００の類似公開データＩＤに対応する類似公開データを読出す（ステップＳ９０５）。次に、公開データ、未公開データ、関連付けデータ公開情報、類似公開データに基づき画面を作成して表示し（ステップＳ９０６）、処理を終了する。
【００３９】
一方、ステップＳ９０１の判定の結果、管理者モードでなかった場合は（ステップＳ９０１、Ｎｏ）、ステップＳ９０２の処理を行わず、ステップＳ９０３の処理に進む。ここで、これらの処理は主に関連付けデータ公開制御部３０３により実行される。
【００４０】
以上のように、あるデータを別のデータに関連付けて公開設定することにより、関連元となるデータと関連先となるデータの類似性を判定し、類似性に基づき検索されたデータを関連付けに対応付けて公開、表示する。このため、関連付けによる公開と類似性による公開が明確に区別されたデータ公開が簡単な操作で実現される。本実施形態ではメタデータにより類似性の判定を行ったが、データの関連付けから導かれる情報を用いることにより、同様の効果が得られる。
【００４１】
（第２の実施形態）
以下、本発明の第２の実施形態を図１０〜図１３を用いて説明する。なお、システム構成は図１、画面の一例は図２、データ管理情報は図４、メタデータは図５、起動処理は図７と同様のため説明を省略する。
【００４２】
図１０は、本実施形態に係るデータ管理システムの機能構成を示すブロック図である。
図１０に示すように、データ管理装置１００の機能は、メタデータＤＢ１０００、データ管理ＤＢ１０１０、蓄積データＤＢ１０２０、ユーザインタフェース部１００１、関連付けデータ公開設定部１００２、データ公開制御部１００３、類似公開データ判定部１００４から構成されている。
【００４３】
メタデータＤＢ１０００は、メタデータ５００を蓄積し管理するためのデータベースである。同様に、データ管理ＤＢ１０１０は、データ管理情報４００と後述する関連付けデータ公開情報１１００を、蓄積データＤＢ１０２０はコンテンツを蓄積し管理するデータベースである。
【００４４】
ユーザインタフェース部１００１は、ディスプレイ１３０やＰＣ１２０−１〜１２０−Ｎ等の表示装置合わせてユーザインタフェース画面を作成し、出力する。そして、キーボード・マウス１４０、ＰＣ１２０−１〜１２０−Ｎ等の入力装置からの入力信号を受信し、適切な機能へ入力データを通知する。
【００４５】
関連付けデータ公開設定部１００２は、ユーザインタフェース部１００１で作成された関連付けデータ公開設定画面に基づく関連元データ、関連先データ情報を受けてデータ管理ＤＢ１０１０に関連付けデータ公開情報１１００の登録を行う。
【００４６】
データ公開制御部１００３は、ユーザインタフェース部１００１を介したデータ公開指示を受けて、データ管理ＤＢ１０１０からデータ管理情報４００を検索し、類似公開データ判定部３０４による類似公開データの判定を行う。そして、蓄積データＤＢ１０２０から公開するデータを読み出し、ユーザインタフェース部１００１を介してデータ公開画面の作成、表示を行う。
【００４７】
類似公開データ判定部１００４は、メタデータＤＢ１０００からメタデータ５００、データ管理ＤＢ１０１０からデータ管理情報５００を検索し、関連付けに基づく類似公開データの判定を行う。
【００４８】
図１１は、本実施形態に係るデータ管理システムの関連付けデータ公開情報の構成を示す図である。
図１１に示すように、関連付けデータ管理情報１１００は関連付けデータ公開ＩＤ、関連元となるデータのデータＩＤである関連元データＩＤ、関連先となるデータのデータＩＤである関連先データＩＤから構成されている。ここで、関連付けデータ公開ＩＤは関連付けデータ公開に一意に割り付けられるＩＤであり、以下でも同様である。
【００４９】
図１２は、本実施形態に係るデータ管理システムの関連付けデータ公開設定処理の一例を示すフローチャートである。
図１２に示すように、関連付けデータ公開設定処理１２００では、まず、操作入力より関連元データＩＤ、関連先データＩＤ、設定ユーザＩＤを読出す（ステップＳ１２０１）。
【００５０】
次に、決定ボタン２０５がクリックされたか否かを判断する（ステップＳ１２０２）。この判断の結果、クリックされた場合は、データ管理ＤＢ１０１０に関連付けデータ公開情報１１００を記憶し（ステップＳ１２０３）、データ管理ＤＢ１０１０における公開元データの公開設定を行い（ステップＳ１２０４）、処理を終了する。
【００５１】
一方、ステップＳ１２０３の判断の結果、キャンセルボタン２０６がクリックされた場合は（ステップＳ１２０３、Ｎｏ）、そのまま処理を終了する。ここで、これらの処理は主に関連付けデータ公開設定部１００２により実行される。また、第１の実施形態の図８の場合と同様に類似公開データ判定部１００４により公開類似データを判定し、表示した後に決定、キャンセルの入力を受けてもよい。
【００５２】
図１３は、本実施形態に係るデータ管理システムのデータ公開処理を示すフローチャートである。
図１３に示すように、データ公開処理１３００では、まず開始操作或いは接続時に予め指定された管理者モードであるか否かを判定する（ステップＳ１３０１）。この判定の結果、管理者モードの場合は（ステップＳ１３０１、Ｙｅｓ）、データ管理ＤＢ１０１０と蓄積データＤＢ１０２０より、公開否に設定されたデータの蓄積場所から未公開データを読出す（ステップＳ１３０２）。
【００５３】
そして、同様に公開可に設定されたデータの蓄積場所から公開データを読出し（ステップＳ１３０３）、データ管理ＤＢ１０１０より関連付けデータ公開情報１１００を読出し（ステップＳ１３０４）。メタデータＤＢ１０００より、関連元データと関連先データのメタデータ５００を読出し（ステップＳ１３０５）、両メタデータの類似性（共通のメタデータ情報）を判定する（ステップＳ１３０６）。
【００５４】
データ管理ＤＢ１０１０と蓄積データＤＢ１０２０より、類似性に基づくデータのデータ蓄積場所より類似公開データを読出し（ステップＳ１３０７）、公開データ、未公開データ、関連付けデータ公開情報、類似公開データに基づき画面を作成し、表示し（ステップＳ１３０８）、処理を終了する。
【００５５】
一方、ステップＳ１３０１の判定の結果、管理者モードでなかった場合は（ステップＳ１３０１、Ｎｏ）、ステップＳ１３０２の処理を行わず、ステップＳ１３０３の処理に進む。ここで、これらの処理は主に関連付けデータ公開制御部３０３と類似公開データ判定部１００４により実行される。
【００５６】
以上のように、あるデータを別のデータに関連付けて公開設定することにより、関連元となるデータと関連先となるデータの類似性を判定し、類似性に基づき検索されたデータを関連付けに対応付けて公開、表示するため、関連付けによる公開と類似性による公開が明確に区別されたデータ公開が簡単な操作で実現される。
【００５７】
また、本実施形態では、類似公開データの判定をデータ公開時に行うため、同じ類似性を持つデータが追加されたり削除されたりした場合でも、関連付けデータ公開情報を更新する必要が無い。
【００５８】
（本発明に係る他の実施形態）
なお、本発明は、例えば、装置、方法、プログラムもしくは記録媒体などとしての実施態様を取ることが可能であり、具体的には、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【００５９】
前述した本発明の実施形態におけるデータ管理装置を構成する各手段、並びにデータ管理方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６０】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６１】
なお、本発明は、前述した実施形態の機能を実現するソフトウェアのプログラム（実施
形態では図７〜９、１２、１３に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００６２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であってもよい。
【００６４】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６９】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７０】
【図１】本発明の第１の実施形態に係るデータ管理システムの構成を示すブロック図である。
【図２】本発明の第１の実施形態に係るデータ管理システムの関連付け設定画面の一例を示す図である。
【図３】本発明の第１の実施形態に係るデータ管理システムの機能構成を示すブロック図である。
【図４】本発明の第１の実施形態に係るデータ管理システムのデータ管理情報の構成を示す図である。
【図５】本発明の第１の実施形態に係るデータ管理システムのメタデータの構成を示す図である。
【図６】本発明の第１の実施形態に係るデータ管理システムの関連付けデータ公開情報の構成を示す図である。
【図７】本発明の一第１の実施形態に係るデータ管理システムの起動処理を示すフローチャートである。
【図８】本発明の第１の実施形態に係るデータ管理システムの関連付けデータ公開設定処理を示すフローチャートである。
【図９】本発明の第１の実施形態に係るデータ管理システムのデータ公開処理を示すフローチャートである。
【図１０】本発明の第２の実施形態に係るデータ管理システムの機能構成を示すブロック図である。
【図１１】本発明の第２の実施形態に係るデータ管理システムの関連付けデータ公開情報の構成を示す図である。
【図１２】本発明の第２の実施形態に係るデータ管理システムの関連付けデータ公開設定処理を示すフローチャートである。
【図１３】本発明の第２の実施形態に係るデータ管理システムのデータ公開処理を示すフローチャートである。
【符号の説明】
【００７１】
１００  データ管理装置
１１０  ネットワーク
１２０−１〜１２０−Ｎ  パーソナルコンピュータ（ＰＣ）
２０１  関連付けデータ公開ボタン
２０２−１、２０２−２  類似公開データ表示領域
２０３  公開データ表示領域
２０４  未公開データ表示領域
３００  メタデータデータベース（ＤＢ）
３０１  ユーザインタフェース部
３０２  関連付けデータ公開設定部
３０３  データ公開部
３０４  類似公開データ判定部
３１０  データ管理データベース（ＤＢ）
３２０  蓄積データデータベース（ＤＢ）
４００  データ管理情報
５００  メタデータ
６００  関連付けデータ公開情報
１０００  メタデータデータベース（ＤＢ）
１００１  ユーザインタフェース部
１００２  関連付けデータ公開設定部
１００３  データ公開部
１００４  類似公開データ判定部
１０１０  データ管理データベース（ＤＢ）
１０２０  蓄積データデータベース（ＤＢ）
１１００  関連付けデータ公開情報
【図１】
2007264763.tif 000003
【図２】
2007264763.tif 000004
【図３】
2007264763.tif 000005
【図４】
2007264763.tif 000006
【図５】
2007264763.tif 000007
【図６】
2007264763.tif 000008
【図７】
2007264763.tif 000009
【図８】
2007264763.tif 000010
【図９】
2007264763.tif 000011
【図１０】
2007264763.tif 000012
【図１１】
2007264763.tif 000013
【図１２】
2007264763.tif 000014
【図１３】
2007264763.tif 000015